(57)【要約】【課題】文書編修時における誤記の発生を低減させること。【解決手段】文字変換プログラムは、取得した文字列にネットワーク上のリソースの場所情報が含まれる場合に、該場所情報が示す場所に格納されたリソースにアクセスして文書データを取得し、取得した該文書データを解析して、該文書データに含まれる文の構成要素を抽出し、抽出した前記構成要素の読みを辞書データベースから取得し、抽出した前記構成要素と取得した前記読みとを対応づけて第一の記憶部に記憶し、記憶された前記読みの入力に応じた該読みの変換候補を表示する際に、前記読みと対応づけられて前記第一の記憶部に記憶された前記構成要素を前記変換候補として表示する、処理をコンピュータに実行させる。【選択図】図３
2015069334.tif 000002
【特許請求の範囲】
【請求項１】
取得した文字列にネットワーク上のリソースの場所情報が含まれる場合に、該場所情報が示す場所に格納されたリソースにアクセスして文書データを取得し、
取得した該文書データを解析して、該文書データに含まれる文の構成要素を抽出し、
抽出した前記構成要素の読みを辞書データベースから取得し、
抽出した前記構成要素と取得した前記読みとを対応づけて第一の記憶部に記憶し、
記憶された前記読みの入力に応じた該読みの変換候補を表示する際に、前記読みと対応づけられて前記第一の記憶部に記憶された前記構成要素を前記変換候補として表示する、
処理をコンピュータに実行させる文字変換プログラム。
【請求項２】
読みに対応づけて第二の記憶部に記憶されている文例の中から、入力された読みと対応づけられている文例の一覧を検索し、
検索された文例の一覧を、前記入力された読みと対応づけられて前記第一の記憶部に記憶された前記構成要素を用いて変更する処理を前記コンピュータに実行させ、
前記表示する処理は、変更された文例の一覧を表示する請求項１記載の文字変換プログラム。
【請求項３】
前記変更する処理は、前記入力された読みに対応づけられて前記第一の記憶部に記憶された前記構成要素を、検索された文例の一覧に対して追加する請求項２記載の文字変換プログラム。
【請求項４】
前記変更する処理は、検索された文例において、前記第一の記憶部に記憶された前記構成要素のいずれかと所定の関係を有する範囲を、当該いずれかの構成要素によって置換する請求項２又は３記載の文字変換プログラム。
【請求項５】
取得した文字列にネットワーク上のリソースの場所情報が含まれる場合に、該場所情報が示す場所に格納されたリソースにアクセスして文書データを取得し、
取得した該文書データを解析して、該文書データに含まれる文の構成要素を抽出し、
抽出した前記構成要素の読みを辞書データベースから取得し、
抽出した前記構成要素と取得した前記読みとを対応づけて第一の記憶部に記憶し、
入力された文字列において、前記第一の記憶部に記憶された前記構成要素のいずれかと所定の関係を有する範囲を、当該いずれかの構成要素によって置換する、
処理をコンピュータに実行させる文字変換プログラム。
【請求項６】
前記置換する処理は、前記入力された文字列において、前記第一の記憶部に記憶された前記構成要素のいずれかと所定の関係を有する範囲を、当該いずれかの構成要素によって置換するか否かをユーザに選択させ、置換することが選択された場合に、当該範囲を当該構成要素によって置換する請求項５記載の文字変換プログラム。
【請求項７】
取得した文字列にネットワーク上のリソースの場所情報が含まれる場合に、該場所情報が示す場所に格納されたリソースにアクセスして文書データを取得する第一の取得部と、
取得した該文書データを解析して、該文書データに含まれる文の構成要素を抽出する抽出部と、
抽出した前記構成要素の読みを辞書データベースから取得する第二の取得部と、
抽出した前記構成要素と取得した前記読みとを対応づけて記憶する第一の記憶部と、
記憶された前記読みの入力に応じた該読みの変換候補を表示する際に、前記読みと対応づけられて前記第一の記憶部に記憶された前記構成要素を前記変換候補として表示する表示部と、
を有することを特徴とする文字変換装置。
【請求項８】
取得した文字列にネットワーク上のリソースの場所情報が含まれる場合に、該場所情報が示す場所に格納されたリソースにアクセスして文書データを取得する第一の取得部と、
取得した該文書データを解析して、該文書データに含まれる文の構成要素を抽出する抽出部と、
抽出した前記構成要素の読みを辞書データベースから取得する第二の取得部と、
抽出した前記構成要素と取得した前記読みとを対応づけて記憶する第一の記憶部と、
入力された文字列において、前記第一の記憶部に記憶された前記構成要素のいずれかと所定の関係を有する範囲を、当該いずれかの構成要素によって置換する置換部と、
を有することを特徴とする文字変換装置。
【請求項９】
取得した文字列にネットワーク上のリソースの場所情報が含まれる場合に、該場所情報が示す場所に格納されたリソースにアクセスして文書データを取得し、
取得した該文書データを解析して、該文書データに含まれる文の構成要素を抽出し、
抽出した前記構成要素の読みを辞書データベースから取得し、
抽出した前記構成要素と取得した前記読みとを対応づけて第一の記憶部に記憶し、
記憶された前記読みの入力に応じた該読みの変換候補を表示する際に、前記読みと対応づけられて前記第一の記憶部に記憶された前記構成要素を前記変換候補として表示する、
処理をコンピュータが実行する文字変換方法。
【請求項１０】
取得した文字列にネットワーク上のリソースの場所情報が含まれる場合に、該場所情報が示す場所に格納されたリソースにアクセスして文書データを取得し、
取得した該文書データを解析して、該文書データに含まれる文の構成要素を抽出し、
抽出した前記構成要素の読みを辞書データベースから取得し、
抽出した前記構成要素と取得した前記読みとを対応づけて第一の記憶部に記憶し、
入力された文字列において、前記第一の記憶部に記憶された前記構成要素のいずれかと所定の関係を有する範囲を、当該いずれかの構成要素によって置換する、
処理をコンピュータが実行する文字変換方法。
【発明の詳細な説明】
【技術分野】
【０００１】
本発明は、文字変換プログラム、文字変換装置、及び文字変換方法に関する。
【背景技術】
【０００２】
読みに対応付けて文例が登録された辞書（以下、「文例辞書」という。）を利用して、読みの入力に応じて、当該読みに対応する文例の一覧を入力候補として提示するソフトウェア（以下、「文例入力ソフト」という。）が有る。一覧の中から選択された文例は、文書の編集画面に出力される。文例辞書には、ユーザによって入力された文章、当該文章の構成要素等が、文例として登録される。斯かる文例入力ソフトによれば、ユーザがよく利用する定型句等の入力作業を簡略化することができ、文書作成の作業効率を向上させることができる。
【先行技術文献】
【特許文献】
【０００３】
【特許文献１】特開２００８−９７４０５号公報
【特許文献２】特開２００４−３３４６３０号公報
【特許文献３】特開平１０−３２０３８９号公報
【発明の概要】
【発明が解決しようとする課題】
【０００４】
しかしながら、例えば、競合製品に関する報告書等の編修時において、ユーザが、製品名を正確に記憶しておらず、その綴りを誤って入力してしまうことが考えられる。誤記等、誤りを含む文章が入力された場合、文例辞書には、当該誤りを含む文例がそのまま登録されてしまう。そうすると、以降において、同じ誤りを含む文例が繰り返し入力されてしまう可能性が有る。
【０００５】
このような誤記は、例えば、競合製品等、編集対象の文書の主題に関する情報を公開しているＷｅｂページ等を参照することで或る程度防止可能であると考えられる。しかし、Ｗｅｂページ上に記載されている名称等を読み違えてしまう可能性は否めない。
【０００６】
そこで、一側面では、文書編修時における誤記の発生を低減させることを目的とする。
【課題を解決するための手段】
【０００７】
一つの案では、文字変換プログラムは、取得した文字列にネットワーク上のリソースの場所情報が含まれる場合に、該場所情報が示す場所に格納されたリソースにアクセスして文書データを取得し、取得した該文書データを解析して、該文書データに含まれる文の構成要素を抽出し、抽出した前記構成要素の読みを辞書データベースから取得し、抽出した前記構成要素と取得した前記読みとを対応づけて第一の記憶部に記憶し、記憶された前記読みの入力に応じた該読みの変換候補を表示する際に、前記読みと対応づけられて前記第一の記憶部に記憶された前記構成要素を前記変換候補として表示する、処理をコンピュータに実行させる。
【発明の効果】
【０００８】
一態様によれば、文書編修時における誤記の発生を低減させることができる。
【図面の簡単な説明】
【０００９】
【図１】本発明の実施の形態におけるシステム構成例を示す図である。
【図２】本発明の実施の形態における入力支援装置のハードウェア構成例を示す図である。
【図３】本発明の実施の形態における入力支援装置のソフトウェア構成例を示す図である。
【図４】入力支援部が実行する処理手順の一例を説明するためのフローチャートである。
【図５】入力文字列の例を示す図である。
【図６】文例辞書記憶部の構成例を示す図である。
【図７】仮辞書生成処理の処理手順の一例を説明するためのフローチャートである。
【図８】Ｗｅｂページの一例を示す図である。
【図９】仮辞書記憶部の構成例を示す図である。
【図１０】文例一覧表示処理の処理手順の一例を説明するためのフローチャートである。
【図１１】文例一覧修正処理の処理手順の一例を説明するためのフローチャートである。
【図１２】文書編集画面に対する入力例を示す図である。
【図１３】誤記修正処理の処理手順の一例を説明するためのフローチャートである。
【図１４】誤記問い合わせ画面の表示例を示す図である。
【図１５】誤記の修正後の文書編集画面の表示例を示す図である。
【発明を実施するための形態】
【００１０】
以下、図面に基づいて本発明の実施の形態を説明する。図１は、本発明の実施の形態におけるシステム構成例を示す図である。図１において、入力支援装置１０は、ＬＡＮ（Local Area Network）又はインターネット等のネットワークを介して、１以上のＷｅｂサーバ装置２０と通信可能に接続されている。
【００１１】
入力支援装置１０は、例えば、ＰＣ（Personal Computer）、タブレット型端末、スマートフォン、又は携帯電話等である。入力支援装置１０は、ユーザによる文章の入力作業の支援を行う。
【００１２】
Ｗｅｂサーバ装置２０は、ＨＴＭＬ（HyperText Markup Language）形式等のＷｅｂページを管理するコンピュータである。Ｗｅｂサーバ装置２０は、入力支援装置１０から要求されたＷｅｂページを、入力支援装置１０に返信する。
【００１３】
図２は、本発明の実施の形態における入力支援装置のハードウェア構成例を示す図である。図２の入力支援装置１０は、それぞれバスBで相互に接続されているドライブ装置１００、補助記憶装置１０２、メモリ装置１０３、ＣＰＵ１０４、インタフェース装置１０５、表示装置１０６、及び入力装置１０７等を有する。
【００１４】
入力支援装置１０での処理を実現するプログラムは、記録媒体１０１によって提供される。プログラムを記録した記録媒体１０１がドライブ装置１００にセットされると、プログラムが記録媒体１０１からドライブ装置１００を介して補助記憶装置１０２にインストールされる。但し、プログラムのインストールは必ずしも記録媒体１０１より行う必要はなく、ネットワークを介して他のコンピュータよりダウンロードするようにしてもよい。補助記憶装置１０２は、インストールされたプログラムを格納すると共に、必要なファイルやデータ等を格納する。
【００１５】
メモリ装置１０３は、プログラムの起動指示があった場合に、補助記憶装置１０２からプログラムを読み出して格納する。ＣＰＵ１０４は、メモリ装置１０３に格納されたプログラムに従って入力支援装置１０に係る機能を実現する。インタフェース装置１０５は、ネットワークに接続するためのインタフェースとして用いられる。表示装置１０６はプログラムによるＧＵＩ（Graphical User Interface）等を表示する。入力装置１０７はキーボード及びマウス等であり、様々な操作指示を入力させるために用いられる。
【００１６】
なお、記録媒体１０１の一例としては、ＣＤ−ＲＯＭ、ＤＶＤディスク、又はＵＳＢメモリ等の可搬型の記録媒体が挙げられる。また、補助記憶装置１０２の一例としては、ＨＤＤ（Hard Disk Drive）又はフラッシュメモリ等が挙げられる。記録媒体１０１及び補助記憶装置１０２のいずれについても、コンピュータ読み取り可能な記録媒体に相当する。
【００１７】
図３は、本発明の実施の形態における入力支援装置のソフトウェア構成例を示す図である。同図において、入力支援装置１０は、編集部１１、変換部１２、及び入力支援部１３等を有する。
【００１８】
編集部１１は、文書データの編集用の画面（以下、「文書編集画面」という。）を表示し、文書編集画面を介して入力される指示に応じ、文書データの表示、生成、及び編集等を行う。編集部１１は、例えば、ワープロソフト、表計算ソフト、又はメーラー等のアプリケーションプログラムがＣＰＵ１０４に実行させる処理によって実現される。
【００１９】
変換部１２は、文書編集画面に入力される文字に関して、例えば、かな漢字変換を行う。日本語以外の言語用の変換部１２は、当該言語に応じた変換を行う。変換部１２は、例えば、かな漢字変換ソフトのような、ＩＭＥ（Input Method Editor）又はＦＥＰ（Front End Processor）等と呼ばれるソフトウェアがＣＰＵ１０４に実行させる処理によって実現される。
【００２０】
入力支援部１３は、編集部１１が表示装置１０６に表示させる文書編集画面において編集対象とされている文書データに対する文字列の入力の支援等を行う。入力支援部１３は、入力支援装置１０にインストールされたプログラムが、ＣＰＵ１０４に実行させる処理によって実現される。
【００２１】
図３において、入力支援部１３は、入力監視部１３０、ＵＲＬ検知部１３１、文書取得部１３２、仮辞書生成部１３３、文例検索部１３４、文例一覧修正部１３５、文例一覧表示部１３６、文例出力部１３７、誤記修正部１３８、及び文例登録部１３９等を含む。入力支援部１３は、また、入力文字記憶部１４、文例辞書記憶部１５、及び仮辞書記憶部１６等を利用する。これら各部は、補助記憶装置１０２、又は入力支援装置１０とネットワークを介して接続される記憶装置等を用いて実現可能である。入力文字記憶部１４は、メモリ装置１０３を用いて実現されてもよい。
【００２２】
入力監視部１３０は、文書編集画面に対する文字の入力を監視する。入力監視部１３０は、入力が確定した文字（以下、「確定文字」という。）を、入力文字記憶部１４に記憶する。確定文字とは、例えば、変換部１２による変換（例えば、かな漢字変換）が確定した文字である。
【００２３】
ＵＲＬ検知部１３１は、文書編集画面に対するＵＲＬの入力を検知する。具体的には、ＵＲＬ検知部１３１は、入力文字記憶部１４に記憶されている文字列内からＵＲＬを示す文字列を検索する。ＵＲＬの検索方法は、公知技術に従って行われてもよい。例えば、ＵＲＬ検知部１３１は、ＵＲＬ形式に当てはまる文字列を、ＵＲＬとして認識してもよい。
【００２４】
文書取得部１３２は、ＵＲＬ検知部１３１によって検知されたＵＲＬが示す場所に格納されたリソースにアクセスして、Ｗｅｂページを取得する。本実施の形態では、Ｗｅｂページは、Ｗｅｂサーバ装置２０から取得される。仮辞書生成部１３３は、Ｗｅｂページに含まれている文字列から文の構成要素を、形態素解析等によって抽出する。仮辞書生成部１３３は、抽出された構成要素（以下、「抽出語」という。）が、当該抽出語の読みに対応付けられた辞書データ（以下、「仮辞書」という。）を生成する。生成された仮辞書は、仮辞書記憶部１６に記憶される。Ｗｅｂページから抽出される抽出語は、名詞に限定されてもよい。また、読みは、基本的にひらがな又は小文字のアルファベットによって表現される。例えば、抽出語内のカタカナはひらがなに変換され、変換後の文字列が当該抽出語の読みとされる。抽出語内のアルファベットは、全て小文字変換され、変換後の文字列が当該抽出語の読みとされる。なお、抽出語内の漢字のひらがなへの変換には、例えば、変換部１２が有している辞書データベースが用いられてもよい。すなわち、当該辞書データベースを利用して、漢字から読みを逆引きすることにより、当該辞書データベースから、漢字に対する読みが取得されてもよい。
【００２５】
文例検索部１３４は、未確定文字（読み）の入力に応じ、入力された未確定文字に合致する読みに対応付けられている文例の一覧（以下、「文例一覧」という。）を文例辞書記憶部１５より検索する。文例一覧は、入力された読みの変換候補の一例である。未確定文字とは、変換部１２によって変換対象とされた状態の文字であって、かつ、入力が確定されていない文字をいう。文例一覧に含まれる文例は一つであってもよい。文例辞書記憶部１５は、文例辞書を記憶する。文例辞書は、読みに対応付けて文例が記録されたデータである。文例の具体例として、一以上の文節又は一以上の文の集合が挙げられる。但し、一つの単語が一つの文例として文例辞書記憶部１５に登録されてもよいし、定型文が文例として登録されてもよい。文例辞書には、過去において入力された文章の構成要素も文例として登録される。すなわち、文例辞書の内容は、文章の入力に応じて変化する。
【００２６】
文例一覧修正部１３５は、文例検索部１３４によって検索された文例一覧の内容を変更又は修正する。変更又は修正の一例として、入力された読みに対応付けられて仮辞書に含まれている抽出語を文例一覧へ追加することが挙げられる。また、文例一覧に含まれている文例において、仮辞書に登録されている抽出語と類似する範囲を、当該抽出語によって置換することも文例一覧の変更又は修正に該当する。
【００２７】
文例一覧表示部１３６は、文例一覧を、文書編集画面に対する入力候補として表示させる。文例出力部１３７は、文例一覧の中から選択された文例を、文書編集画面に出力（展開）する。
【００２８】
誤記修正部１３８は、文書編集画面に入力された文字列において、誤記である可能性の有る範囲を、仮辞書を用いて修正する。文例登録部１３９は、文書編集画面に対する改行の入力に応じ、改行が入力されるまでに入力文字記憶部１４に記憶された文字列から文例を抽出し、当該文例を読みに対応付けて文例辞書に登録する。文字列からの文例の抽出には、例えば、形態素解析等が用いられる。文例に対する読みの生成方法は、抽出語に対する読みの生成方法と同様でよい。
【００２９】
以下、入力支援部１３が実行する処理手順について説明する。図４は、入力支援部が実行する処理手順の一例を説明するためのフローチャートである。図４の処理は、編集部１１が表示装置１０６に表示させている文書編集画面において、ユーザが、入力装置１０７を用いて文字列を入力する際に実行される。なお、文書編集画面に対する文字列の入力は、当該文書編修画面において編修対象とされている文書データに対する文字列の入力と等価である。
【００３０】
入力監視部１３０は、文書編集画面に対する何らかの入力を検知すると（Ｓ１０１でＹＥＳ）、入力されたのは改行であるか否かを判定する（Ｓ１０２）。入力されたのが改行でない場合（Ｓ１０２でＮＯ）、入力監視部１３０は、入力されたのは未確定文字であるか否かを判定する（Ｓ１０３）。
【００３１】
未確定文字が入力された場合（Ｓ１０３でＹＥＳ）、文例検索部１３４、文例一覧修正部１３５、及び文例一覧表示部１３６等は、文例一覧表示処理を実行する（Ｓ１０４）。文例一覧表示処理の実行によって、当該未確定状態の文字列が示す読みに対応する文例の一覧を含む画面（以下、「文例一覧画面」という。）が、表示装置１０６に表示される。なお、文例一覧に含まれる文例は、入力される未確定文字の増加に応じて、絞り込まれる。
【００３２】
文例一覧画面が表示された状態において、文例一覧画面に含まれている文例一覧の中からいずれかの文例が選択されると（Ｓ１０５でＹＥＳ）、文例出力部１３７は、選択された文例を、文書編集画面に出力する（Ｓ１０６）。その結果、文書編集画面は、当該文例が入力された状態となる。また、未確定であった１以上の文字は、文例によって置換される。続いて、文例出力部１３７は、選択された文例を、入力文字記憶部１４に追加的に記憶する（Ｓ１０７）。
【００３３】
また、確定指示又はクリップボードからの文字列の貼り付け指示が入力された場合（Ｓ１０８でＹＥＳ）、入力監視部１３０は、確定指示に係る文字若しくは文字列、又は貼り付けられた文字列を、入力文字記憶部１４に追加的に記憶する（Ｓ１０９）。確定指示とは、未確定文字の確定の指示をいい、例えば、未確定文字が表示されている状態において、リターンキーの押下によって入力される。なお、入力文字記憶部１４には、改行が行われるまでに入力された確定文字の集合（文字列）が記憶されることになる。また、コピー＆ペースト又はカット＆ペースト等によって貼り付けられた文字列も、貼り付けと同時に入力が確定するため、貼り付け指示についても確定指示と同様に扱われる。
【００３４】
一方、文書編集画面に対して改行が入力されると（Ｓ１０２でＹＥＳ）、ＵＲＬ検知部１３１は、入力文字記憶部１４に記憶されている文字列（以下、「入力文字列」という。）の中から、ＵＲＬを示す文字列を検索する（Ｓ１１０）。なお、入力文字列は、確定されている文字列である。したがって、この時点において、入力文字列は、文書編集画面において、入力が確定した状態で表示されている。
【００３５】
該当する文字列が検索された場合（Ｓ１１１でＹＥＳ）、仮辞書生成部１３３は、仮辞書生成処理を実行する（Ｓ１１２）。仮辞書生成処理によって、検索されたＵＲＬによって特定されるＷｅｂページに基づく仮辞書が生成され、当該仮辞書が仮辞書記憶部１６に記憶される。なお、ＵＲＬを示す文字列が検索されなかった場合（Ｓ１１１でＮＯ）、仮辞書生成処理は実行されない。
【００３６】
続いて、誤記修正部１３８は、誤記修正処理を実行する（Ｓ１１３）。誤記修正処理では、入力文字列中において誤記である可能性の高い文字の修正が、仮辞書を用いて行われる。
【００３７】
続いて、文例登録部１３９は、入力文字列ついて形態素解析等を行うことにより、当該入力文字列から文例を抽出し、抽出された文例を、その読みに対応付けて文例辞書記憶部１５に記憶する（Ｓ１１４）。すなわち、入力文字列の全部又は入力文字列の構成要素が文例として文例辞書記憶部１５に記憶される。
【００３８】
例えば、入力文字列（入力文字記憶部１４の記憶内容）が、図５に示す通りである場合、図６に示されるような文例が、文例辞書記憶部１５に記憶される。
【００３９】
図５は、入力文字列の例を示す図である。図５では、「文例入力ツールのＢｕｎｒｅｉＷＲＩＴＥが発売された。」という文字列が入力された例が示されている。
【００４０】
図６は、文例辞書記憶部の構成例を示す図である。図６において、文例辞書記憶部１５は、文例ごとに、文例ＩＤ、読み、及び文例等を記憶する。文例ＩＤは、文例ごとの識別情報であり、例えば、文例登録部１３９によって自動的に割り当てられる。読みは、文例に対する読みである。文例は、読みに対応付けられている文例である。なお、図６には、便宜上、図５に示した入力文字列から抽出される文例の一部が示されている。例えば、「文例」、「文例入力」、「文例入力ツール」、「発売」、「発売された」といった文例が登録されてもよい。すなわち、文章からの文例の抽出規則は所定のものに限定されない。また、図６では、過去に登録された文例についても、便宜上、省略されている。すなわち、文例辞書記憶部１５には、過去に入力された文章から抽出された文例が、累積的に記憶される。また、読みと文例との対応付けは、必ずしも一対一でなくてもよい。なお、本実施の形態では、英文字の読みは、当該英文字の半角小文字とされる。例えば、図６では、「ＢｕｎｒｅｉＷｒｉｔｅ」の読みは、「ｂｕｎｒｅｉｗｒｉｔｅ」とされている。但し、英文字の読みは、当該英文字の半角又は全角の大文字とされてもよいし、他の規則に基づいて、英文字の読みが決定されてもよい。
【００４１】
続いて、文例登録部１３９は、入力文字記憶部１４の記憶内容をクリアする（Ｓ１１５）。すなわち、入力文字列が、入力文字記憶部１４から削除される。
【００４２】
なお、図４は、１回の改行が入力されるまでの処理手順を示すものである。したがって、改行後に引き続き文書入力画面に対して文字が入力される場合、ステップＳ１０１以降が繰り返される。
【００４３】
続いて、ステップＳ１１２の詳細について説明する。図７は、仮辞書生成処理の処理手順の一例を説明するためのフローチャートである。
【００４４】
ステップＳ２０１において、仮辞書生成部１３３は、ＵＲＬ検知部１３１によって検索された全てのＵＲＬについて、ステップＳ２０２〜Ｓ２０５の処理を実行したか否かを判定する。未処理のＵＲＬが１以上有る場合、仮辞書生成部１３３は、未処理のＵＲＬのうちの一つを処理対象とする。以下、処理対象とされたＵＲＬを「対象ＵＲＬ」という。
【００４５】
続いて、仮辞書生成部１３３は、対象ＵＲＬが示すＷｅｂページを、Ｗｅｂサーバ装置２０から取得する（Ｓ２０２）。例えば、仮辞書生成部１３３は、対象ＵＲＬ宛に対してＷｅｂページの取得要求を送信すると、対象ＵＲＬ宛に係るＷｅｂサーバ装置２０から、対象ＵＲＬに基づいて特定されるＷｅｂページが返信される。ここでは、図８に示されるようなＷｅｂページが取得されたこととする。
【００４６】
図８は、Ｗｅｂページの一例を示す図である。図８では、「Ｂｕｎｒｅｉｗｒｉｔｅ」という製品を紹介するＷｅｂページが取得された例が示されている。
【００４７】
続いて、仮辞書生成部１３３は、Ｗｅｂページから抽出語を抽出する（又はＷｅｂページに含まれる文章等を抽出語に分解する）（Ｓ２０４）。Ｗｅｂページからの抽出語の抽出方法は、文章から文例の抽出方法と同様であってもよい。または、抽出語としての抽出対象は、単語（特に、名詞）に限定されてもよい。本実施の形態では、抽出語としての抽出対象は、名詞に限定される例について説明する。続いて、仮辞書生成部１３３は、抽出語及び当該抽出語の読みが対応付けられた仮辞書を、仮辞書記憶部１６に記憶する（Ｓ２０５）。
【００４８】
図９は、仮辞書記憶部の構成例を示す図である。図９において、仮辞書記憶部１６は、抽出語ごとに、エディタＩＤ、読み、及び抽出語等を記憶する。エディタＩＤは、対象ＵＲＬが入力された文書編集画面の識別情報である。例えば、文書編集画面のウィンドウの識別情報が、エディタＩＤとされてもよい。また、同一文書について、複数のウィンドウを開くことが可能であれば、文書編集画面において編集されているファイルのパス名が、エディタＩＤとされてもよい。エディタＩＤの用途については後述される。読みは、抽出語の読みである。抽出語の読みの生成方法は、文例辞書に登録される文例の読みの生成方法と同様でもよい。
【００４９】
ステップＳ２０２〜Ｓ２０５が、検索された全てのＵＲＬについて実行されると（Ｓ２０１でＹＥＳ）、図７の処理は終了する。
【００５０】
続いて、図４のステップＳ１０４の詳細について説明する。図１０は、文例一覧表示処理の処理手順の一例を説明するためのフローチャートである。
【００５１】
ステップＳ３０１において、文例検索部１３４は、現時点における１以上の未確定文字（以下、「未確定文字列」という。）が示す読みに対応する文例を文例辞書記憶部１５に記憶されている文例辞書より検索する。未確定文字列が示す読みに対応する文例とは、例えば、当該文例に対応する読みが、当該未確定文字列に適合する文例に適合する文例をいう。未確定文字列に適合する読みとは、例えば、当該読みの先頭からの一部又は全部が、未確定文字列に一致する読みをいう。
【００５２】
該当する文例が検索された場合（Ｓ３０２でＹＥＳ）、文例一覧表示部１３６は、文例一覧画面を生成し、該当する文例を、文例一覧画面にセットする（Ｓ３０３）。
【００５３】
続いて、文例一覧修正部１３５は、文例一覧修正処理を実行する（Ｓ３０４）。文例一覧修正処理において、文例一覧画面に表示される文例一覧の内容が、仮辞書に基づいて変更される。続いて、文例一覧表示部１３６は、文例一覧画面を表示装置１０６に表示させる（Ｓ３０５）。
【００５４】
続いて、ステップＳ３０４の詳細について説明する。図１１は、文例一覧修正処理の処理手順の一例を説明するためのフローチャートである。
【００５５】
ステップＳ４０１において、文例一覧修正部１３５は、現在操作対象とされている（アクティブな）文書編集画面のエディタＩＤ（以下、「対象エディタＩＤ」という。）を取得する（Ｓ４０１）。エディタＩＤは、例えば、ＯＳ（Operating System）等において用意されているＡＰＩ（Application Program Interface）を利用して取得することができる。
【００５６】
続いて、文例一覧修正部１３５は、対象エディタＩＤを含む仮辞書のレコードを、仮辞書記憶部１６から取得する（Ｓ４０２）。すなわち、対象ＵＲＬが入力された文書編集画面に関して記憶された仮辞書のレコードが取得される。これは、文書編集画面ごとに、編集対象とされている文書が異なることが考えられ、対象ＵＲＬとは無関係な文書編集画面に対して、対象ＵＲＬに基づく仮辞書を適用することについて、妥当性又は有効性が乏しいと考えられるからである。
【００５７】
１以上のレコード（以下、「対象レコード」という。）が取得された場合（Ｓ４０３でＹＥＳ）、文例一覧修正部１３５は、文例一覧画面にセットされている各文例において、いずれかの対象レコードに含まれている抽出語と所定の関係を有する範囲を、当該抽出語によって置換する（Ｓ４０４）。当該範囲は、文例の全部又は一部である。また、所定の関係を有する範囲の一例として、いずれかの対象レコードに含まれている抽出語と類似する範囲が挙げられる。抽出語との類似の判定において、例えば、ひらがなとカタカナとの違い、半角と全角との違い、大文字と小文字との違いは、類似する範囲と判定されてもよい。また、公知の文字列の比較技術等に基づいて行われてもよい。例えば、所定の方法で算出される類似度が所定値以上である範囲が、類似する範囲と判定されてもよい。
【００５８】
または、各文例の読みにおいて、いずれかの対象レコードに含まれている抽出語の読みに一致又は類似する範囲が有るか否かが判定されてもよい。抽出語の読みに一致又は類似する範囲を含む読みに対応する文例については、当該一致する読みの範囲に対応する文例の範囲が、当該抽出語によって置換される。
【００５９】
続いて、文例一覧修正部１３５は、対象レコードの中から、現時点における未確定文字によって示される読みに対応する抽出語を検索する（Ｓ４０５）。読みに対応する抽出語の意味は、ステップＳ３０１における読みに対応する文例の意味と同様でよい。該当する抽出語（以下、「対象抽出語」という。）が検索された場合（Ｓ４０６でＹＥＳ）、文例一覧修正部１３５は、対象抽出語を、文例一覧画面に追加的にセットする（Ｓ４０７）。すなわち、対象抽出語が、文例一覧画面における一つの選択肢として、文例一覧画面に追加される。但し、対象抽出語と同一の文例が既に文例一覧画面にセットされている場合、対象抽出語は文例一覧画面にセットされなくてもよい。なお、抽出語は、文例と異なる態様で表示されるように、文例一覧画面にセットされてもよい。
【００６０】
上記の通り、本実施の形態において、文例一覧の変更とは、文例の全部又は一部を抽出語によって置換すること、及び文例一覧画面に対して対象抽出語の追加することである。但し、いずれか一方のみが行われてもよい。
【００６１】
図１０及び図１１の処理の意義について、具体的に説明する。図１２は、文書編集画面に対する入力例を示す図である。
【００６２】
図１２において、文書編集画面Ｗ１には、ＵＲＬ５１１が入力され、改行された後、「ぶん」という未確定文字列が入力された状態が示されている。ここで、ＵＲＬ５１１が示すＷｅｂページは、図８に示した通りであるとする。したがって、ＵＲＬ５１１が入力され、改行された時点において、図９に示される仮辞書が生成されている。また、文例辞書記憶部１５の内容は、図６の通りであるとする。
【００６３】
この場合、「ぶん」の入力に応じて、図１０において説明した処理が実行され、読みが「ぶん」で開始される文例が文例辞書記憶部１５から検索される。図６によれば、「文例入力ツール」及び「文例入力ツールのＢｕｎｒｅｉＷＲＩＴＥ」等が検索される。したがって、これらの文例が、文例一覧画面５１２にセットされる。但し、図１１のステップＳ４０４において、「文例入力ツールのＢｕｎｒｅｉＷＲＩＴＥ」のうちの「ＢｕｎｒｅｉＷＲＩＴＥ」の範囲（部分）は、図９における抽出語のうちの「Ｂｕｎｒｅｗｒｉｔｅ」によって置換される。ここで、「Ｂｕｎｒｅｗｒｉｔｅ」は、当該名称に係る製品に関するＷｅｂページから抽出された単語である。したがって、その綴りが正しい可能性は高いと考えられる。一方、「ＢｕｎｒｅｉＷＲＩＴＥ」の方は、過去においてユーザによって入力された文字列であり、その綴りが正しい可能性は、当該Ｗｅｂページに比較すると低いと考えられる。そこで、ステップＳ４０４においては、文例の一部又は全部が、当該一部又は全部に類似する抽出語によって置換されるのである。
【００６４】
また、図１１のステップＳ４０７によって、仮辞書に登録されている抽出語のうち、読みが「ぶん」で開始される「ブンレイライト」及び「ブンライ」が、文例一覧画面５１２に追加される。ユーザは、これらの抽出語を文例として利用することにより、製品に関する単語を正しい綴りで入力することができる。
【００６５】
このように、本実施の形態では、或る事項について説明する文書を作成する際に、当該事項に関する情報が記載されているＷｅｂページのＵＲＬが当該文書に記載されることが有るという事情に鑑みて、当該Ｗｅｂページから単語等が抽出される。抽出された単語によって、文例の修正又は文例の追加等が行われる。換言すれば、本実施の形態によれば、或る事項に関する文書を作成する際に、当該事項に関する情報が記載されているＷｅｂページのＵＲＬを記載しておけば、ユーザは、仮辞書に基づく入力補助を享受することができる。
【００６６】
なお、或る文例の一つの範囲に対して置換候補となる（すなわち、当該範囲に類似する）抽出語が複数存在する場合は、例えば、文例一覧修正部１３５は、置換候補の一覧を含む画面を表示させてもよい。当該一覧の中から選択された抽出語によって、当該範囲が置換されてもよい。
【００６７】
また、置換候補の数に拘わらず、置換の要否を問い合わせる画面が表示されてもよい。ユーザによって置換が必要であることを示す入力が行われた場合に、置換が行われるようにしてもよい。
【００６８】
続いて、図４のステップＳ１１３の詳細について説明する。図１３は、誤記修正処理の処理手順の一例を説明するためのフローチャートである。
【００６９】
ステップＳ５０１において、誤記修正部１３８は、現在操作対象とされている文書編集画面のエディタＩＤ（以下、「対象エディタＩＤ」という。）を取得する（Ｓ５０１）。続いて、誤記修正部１３８は、対象エディタＩＤを含む仮辞書のレコードを、仮辞書記憶部１６から取得する（Ｓ５０２）。なお、ステップＳ５０１及びＳ５０２は、ステップＳ４０１及びＳ４０２と同様の処理である。
【００７０】
１以上のレコード（以下、「対象レコード」という。）が取得された場合（Ｓ５０３でＹＥＳ）、誤記修正部１３８は、入力文字列（入力文字記憶部１４に記憶されている文字列）から、当該入力文字列を構成する単語を抽出する（Ｓ５０４）。単語の抽出は、例えば、形態素解析等を用いて行うことができる。続いて、誤記修正部１３８は、抽出された１以上の単語の中から、いずれかの対象レコードの抽出語に類似する単語を検索する（Ｓ５０５）。ここでの「類似」の意味は、図１１の説明における類似の意味と同様でよい。
【００７１】
該当する単語が検索された場合（Ｓ５０６でＹＥＳ）、誤記修正部１３８は、誤記問い合わせ画面を表示装置１０６に表示させる（Ｓ５０７）。
【００７２】
図１４は、誤記問い合わせ画面の表示例を示す図である。図１４中、図１２と同一部分には同一符号を付し、その説明は省略する。
【００７３】
図１４では、文書編集画面５１０において、ＵＲＬ５１１が入力された後、入力文字列５１３が入力され、更に、改行が入力された状態が示されている。改行の入力に応じて、入力文字列５１３に関して、図１３の処理が実行される。その結果、「文例入力ツール製品のＢｕｎｒｅｉＷＲＩＴＥが発売された。」という入力文字列５１３を構成する単語のうち、「ＢｕｎｒｅｉＷＲＩＴＥ」が、仮辞書内の「Ｂｕｎｒｅｉｗｒｉｔｅ」と類似する単語（以下、「対象単語」という。）であると判定される。そこで、図１４の例では、「ＢｕｎｒｅｉＷＲＩＴＥ」を「Ｂｕｎｒｅｉｗｒｉｔｅ」に置換する否かをユーザに問い合わせる誤記問い合わせ画面５２０が表示されている。
【００７４】
誤記問い合わせ画面５２０において、キャンセルボタン５２２が押下されると（Ｓ５０８でＮＯ）、ステップＳ５０９は実行されずに、図１３の処理は終了する。
【００７５】
誤記問い合わせ画面５２０において、ＯＫボタン５２１が押下される（すなわち、置換することが選択される）と（Ｓ５０８でＹＥＳ）、誤記修正部１３８は、文書編集画面５１０に表示されている対象単語を、当該対象単語に類似する抽出語によって置換する（Ｓ５０９）。誤記修正部１３８は、また、入力文字記憶部１４に記憶されている対象単語についても、当該抽出語によって置換する。
【００７６】
図１５は、誤記の修正後の文書編集画面の表示例を示す図である。図１５では、入力文字列５１３における「ＢｕｎｒｅｉＷＲＩＴＥ」が「Ｂｕｎｒｅｉｗｒｉｔｅ」に置換された例が示されている。
【００７７】
なお、置換候補の抽出語が複数存在する場合は、誤記問い合わせ画面５２０において、複数の抽出語の中から一つの抽出語が選択可能とされてもよい。
【００７８】
このように、本実施の形態によれば、ユーザによって入力された文字列について、誤記の可能性が有る箇所を検知することができ、当該箇所を正しい綴りに修正することができる。なお、誤記問い合わせ画面５２０が表示されずに、強制的に抽出語への置換が行われてもよい。または、強制的な置換の許否が設定可能とされてもよい。
【００７９】
なお、図１３に示される誤記の修正機能は、必ずしも、文例の入力機能に併せて実施されなくてもよい。すなわち、誤記の修正機能の実施には、文例辞書は必ずしも必要とはされない。また、誤記の修正対象は、文例辞書に基づいて入力される文例である必要はない。したがって、誤記の修正機能は、文例の入力機能とは独立して実施されてもよい。
【００８０】
なお、本実施の形態では、ＵＲＬが、文書編集画面に入力される文書データの位置情報、すなわち、リソースの場所情報として用いられる例について説明した。但し、ＵＲＬ以外のリソースの場所情報に関して、本実施の形態が適用されてもよい。例えば、共有フォルダに格納されているファイルパス名、データベースに格納されているデータの位置情報等がＵＲＬの代わりに用いられてもよい。
【００８１】
なお、本実施の形態において、文書取得部１３２は、第一の取得部の一例である。仮辞書生成部１３３は、第二の取得部及び抽出部の一例である。文例一覧表示部１３６は、表示部の一例である。仮辞書記憶部１６は、第一の記憶部の一例である。文例辞書記憶部１５は、第二の記憶部の一例である。誤記修正部１３８は、置換部の一例である。入力支援装置１０は、文字変換装置の一例である。
【００８２】
以上、本発明の実施例について詳述したが、本発明は斯かる特定の実施形態に限定されるものではなく、特許請求の範囲に記載された本発明の要旨の範囲内において、種々の変形・変更が可能である。
【００８３】
以上の説明に関し、更に以下の項を開示する。
（付記１）
取得した文字列にネットワーク上のリソースの場所情報が含まれる場合に、該場所情報が示す場所に格納されたリソースにアクセスして文書データを取得し、
取得した該文書データを解析して、該文書データに含まれる文の構成要素を抽出し、
抽出した前記構成要素の読みを辞書データベースから取得し、
抽出した前記構成要素と取得した前記読みとを対応づけて第一の記憶部に記憶し、
記憶された前記読みの入力に応じた該読みの変換候補を表示する際に、前記読みと対応づけられて前記第一の記憶部に記憶された前記構成要素を前記変換候補として表示する、
処理をコンピュータに実行させる文字変換プログラム。
（付記２）
読みに対応づけて第二の記憶部に記憶されている文例の中から、入力された読みと対応づけられている文例の一覧を検索し、
検索された文例の一覧を、前記入力された読みと対応づけられて前記第一の記憶部に記憶された前記構成要素を用いて変更する処理を前記コンピュータに実行させ、
前記表示する処理は、変更された文例の一覧を表示する付記１記載の文字変換プログラム。
（付記３）
前記変更する処理は、前記入力された読みに対応づけられて前記第一の記憶部に記憶された前記構成要素を、検索された文例の一覧に対して追加する付記２記載の文字変換プログラム。
（付記４）
前記変更する処理は、検索された文例において、前記第一の記憶部に記憶された前記構成要素のいずれかと所定の関係を有する範囲を、当該いずれかの構成要素によって置換する付記２又は３記載の文字変換プログラム。
（付記５）
前記抽出する処理は、取得した該文書データを解析して、該文書データに含まれる名詞を抽出する付記１乃至４いずれか一項記載の文字変換プログラム。
（付記６）
前記表示する処理は、前記検索する処理によって検索された文例の一覧に対して追加された、前記第一の記憶部に記憶された文の構成要素を、前記検索する処理によって検索された文例とは異なる態様で表示することを特徴とする付記３記載の文字変換プログラム。
（付記７）
取得した文字列にネットワーク上のリソースの場所情報が含まれる場合に、該場所情報が示す場所に格納されたリソースにアクセスして文書データを取得し、
取得した該文書データを解析して、該文書データに含まれる文の構成要素を抽出し、
抽出した前記構成要素の読みを辞書データベースから取得し、
抽出した前記構成要素と取得した前記読みとを対応づけて第一の記憶部に記憶し、
入力された文字列において、前記第一の記憶部に記憶された前記構成要素のいずれかと所定の関係を有する範囲を、当該いずれかの構成要素によって置換する、
処理をコンピュータに実行させる文字変換プログラム。
（付記８）
前記置換する処理は、前記入力された文字列において、前記第一の記憶部に記憶された前記構成要素のいずれかと所定の関係を有する範囲を、当該いずれかの構成要素によって置換するか否かをユーザに選択させ、置換することが選択された場合に、当該範囲を当該構成要素によって置換する付記７記載の文字変換プログラム。
（付記９）
取得した文字列にネットワーク上のリソースの場所情報が含まれる場合に、該場所情報が示す場所に格納されたリソースにアクセスして文書データを取得する第一の取得部と、
取得した該文書データを解析して、該文書データに含まれる文の構成要素を抽出する抽出部と、
抽出した前記構成要素の読みを辞書データベースから取得する第二の取得部と、
抽出した前記構成要素と取得した前記読みとを対応づけて記憶する第一の記憶部と、
記憶された前記読みの入力に応じた該読みの変換候補を表示する際に、前記読みと対応づけられて前記第一の記憶部に記憶された前記構成要素を前記変換候補として表示する表示部と、
を有することを特徴とする文字変換装置。
（付記１０）
読みに対応づけて第二の記憶部に記憶されている文例の中から、入力された読みと対応づけられている文例の一覧を検索する検索部と、
検索された文例の一覧を、前記入力された読みと対応づけられて前記第一の記憶部に記憶された前記構成要素を用いて変更する変更部とを有し、
前記表示部は、変更された文例の一覧を表示する付記９記載の文字変換装置。
（付記１１）
前記変更部は、前記入力された読みに対応づけられて前記第一の記憶部に記憶された前記構成要素を、検索された文例の一覧に対して追加する付記１０記載の文字変換装置。
（付記１２）
前記変更部は、検索された文例において、前記第一の記憶部に記憶された前記構成要素のいずれかと所定の関係を有する範囲を、当該いずれかの構成要素によって置換する付記１０又は１１記載の文字変換装置。
（付記１３）
前記抽出部は、取得した該文書データを解析して、該文書データに含まれる名詞を抽出する付記９乃至１２いずれか一項記載の文字変換装置。
（付記１４）
前記表示部は、前記検索する処理によって検索された文例の一覧に対して追加された、前記第一の記憶部に記憶された文の構成要素を、前記検索する処理によって検索された文例とは異なる態様で表示することを特徴とする付記１１記載の文字変換装置。
（付記１５）
取得した文字列にネットワーク上のリソースの場所情報が含まれる場合に、該場所情報が示す場所に格納されたリソースにアクセスして文書データを取得する第一の取得部と、
取得した該文書データを解析して、該文書データに含まれる文の構成要素を抽出する抽出部と、
抽出した前記構成要素の読みを辞書データベースから取得する第二の取得部と、
抽出した前記構成要素と取得した前記読みとを対応づけて記憶する第一の記憶部と、
入力された文字列において、前記第一の記憶部に記憶された前記構成要素のいずれかと所定の関係を有する範囲を、当該いずれかの構成要素によって置換する置換部と、
を有することを特徴とする文字変換装置。
（付記１６）
前記置換部は、前記入力された文字列において、前記第一の記憶部に記憶された前記構成要素のいずれかと所定の関係を有する範囲を、当該いずれかの構成要素によって置換するか否かをユーザに選択させ、置換することが選択された場合に、当該範囲を当該構成要素によって置換する付記１５記載の文字変換装置。
（付記１７）
取得した文字列にネットワーク上のリソースの場所情報が含まれる場合に、該場所情報が示す場所に格納されたリソースにアクセスして文書データを取得し、
取得した該文書データを解析して、該文書データに含まれる文の構成要素を抽出し、
抽出した前記構成要素の読みを辞書データベースから取得し、
抽出した前記構成要素と取得した前記読みとを対応づけて第一の記憶部に記憶し、
記憶された前記読みの入力に応じた該読みの変換候補を表示する際に、前記読みと対応づけられて前記第一の記憶部に記憶された前記構成要素を前記変換候補として表示する、
処理をコンピュータが実行する文字変換方法。
（付記１８）
読みに対応づけて第二の記憶部に記憶されている文例の中から、入力された読みと対応づけられている文例の一覧を検索し、
検索された文例の一覧を、前記入力された読みと対応づけられて前記第一の記憶部に記憶された前記構成要素を用いて変更する処理を前記コンピュータが実行し、
前記表示する処理は、変更された文例の一覧を表示する付記１７記載の文字変換方法。
（付記１９）
前記変更する処理は、前記入力された読みに対応づけられて前記第一の記憶部に記憶された前記構成要素を、検索された文例の一覧に対して追加する付記１８記載の文字変換方法。
（付記２０）
前記変更する処理は、検索された文例において、前記第一の記憶部に記憶された前記構成要素のいずれかと所定の関係を有する範囲を、当該いずれかの構成要素によって置換する付記１８又は１９記載の文字変換方法。
（付記２１）
前記抽出する処理は、取得した該文書データを解析して、該文書データに含まれる名詞を抽出する付記１７乃至２０いずれか一項記載の文例変換方法。
（付記２２）
前記表示する処理は、前記検索する処理によって検索された文例の一覧に対して追加された、前記第一の記憶部に記憶された文の構成要素を、前記検索する処理によって検索された文例とは異なる態様で表示することを特徴とする付記１９記載の文字変換方法。
（付記２３）
取得した文字列にネットワーク上のリソースの場所情報が含まれる場合に、該場所情報が示す場所に格納されたリソースにアクセスして文書データを取得し、
取得した該文書データを解析して、該文書データに含まれる文の構成要素を抽出し、
抽出した前記構成要素の読みを辞書データベースから取得し、
抽出した前記構成要素と取得した前記読みとを対応づけて第一の記憶部に記憶し、
入力された文字列において、前記第一の記憶部に記憶された前記構成要素のいずれかと所定の関係を有する範囲を、当該いずれかの構成要素によって置換する、
処理をコンピュータが実行する文字変換方法。
（付記２４）
前記置換する処理は、前記入力された文字列において、前記第一の記憶部に記憶された前記構成要素のいずれかと所定の関係を有する範囲を、当該いずれかの構成要素によって置換するか否かをユーザに選択させ、置換することが選択された場合に、当該範囲を当該構成要素によって置換する付記２３記載の文字変換方法。
【符号の説明】
【００８４】
１０          入力支援装置
１１          編集部
１２          変換部
１３          入力支援部
１４          入力文字記憶部
１５          文例辞書記憶部
１６          仮辞書記憶部
２０          Ｗｅｂサーバ装置
１００        ドライブ装置
１０１        記録媒体
１０２        補助記憶装置
１０３        メモリ装置
１０４        ＣＰＵ
１０５        インタフェース装置
１０６        表示装置
１０７        入力装置
１３０        入力監視部
１３１        ＵＲＬ検知部
１３２        文書取得部
１３３        仮辞書生成部
１３４        文例検索部
１３５        文例一覧修正部
１３６        文例一覧表示部
１３７        文例出力部
１３８        誤記修正部
１３９        文例登録部
Ｂ            バス
【図１】
2015069334.tif 000003
【図２】
2015069334.tif 000004
【図３】
2015069334.tif 000005
【図４】
2015069334.tif 000006
【図５】
2015069334.tif 000007
【図６】
2015069334.tif 000008
【図７】
2015069334.tif 000009
【図８】
2015069334.tif 000010
【図９】
2015069334.tif 000011
【図１０】
2015069334.tif 000012
【図１１】
2015069334.tif 000013
【図１２】
2015069334.tif 000014
【図１３】
2015069334.tif 000015
【図１４】
2015069334.tif 000016
【図１５】
2015069334.tif 000017